(57)【要約】【課題】  シャープペンシルを握った方の手の指の操作で、芯を挿入するための開口の開口を行え、芯の挿入作業がきわめて容易に行えるシャープペンシルを提供する。【解決手段】  軸本体2を前軸部材３と後軸部材4とで構成する。スライド部材３１は前軸部材の後端部開口４側にスライド可能に嵌っている。後軸部材５１はそのアーム５５の孔５６にスライド部材の軸３６が嵌り、その軸の先端は前軸部材の第１のガイド溝１０に嵌っている。後軸部材の軸５７は前軸部材の第２のガイド溝１１に嵌っている。スライド部材のヘッド３５を用いてスライド部材をスライドさせると、後軸部材は前軸部材に対して軸方向移動と傾動を行い、後端部開口を開閉する。【選択図】      図２
2006175792.tif 000002
【特許請求の範囲】
【請求項１】
軸本体内に芯タンクを備え、該芯タンク内に収納した芯を軸本体先端から順次芯送りして使用するシャープペンシルにおいて、前記軸本体を、後端部が開口した前軸部材と、前記前軸部材の前記後端部側に配置され、前記前軸部材の前記後端部開口を閉鎖した閉鎖位置と開放した開放位置との間で移動可能な後軸部材とで構成し、前記シャープペンシルはさらに、前記前軸部材に対して軸方向所定の範囲でスライド移動可能に取付けられ、前記軸本体の外部から操作可能なスライド部材を備え、前記後軸部材は前端側において前記スライド部材に、前記前軸部材の軸芯を含む１つの平面内で回動可能に軸支して取付けられ、前記前軸部材と前記後軸部材とには、前記スライド部材の前記前軸部材に対するスライド移動の第１の範囲では前記後軸部材を前記スライド部材と共に前記前軸部材に対して一体的にスライド移動させ、第２の範囲では前記スライド部材のスライド移動に伴って前記後軸部材を、前記前軸部材に対して前記前軸部材の軸方向に移動させると共に、前記前軸部材の軸芯を含む前記１つの平面内で前記前軸部材に対して傾動させる案内機構を備えていることを特徴とするシャープペンシル。
【発明の詳細な説明】
【技術分野】
【０００１】
本発明はシャープペンシルに関し、さらに詳細に言えば、芯の補充作業が行ない易くなるように改善したシャープペンシルに関する。
【背景技術】
【０００２】
シャープペンシルは内部の芯タンクに複数本の芯を格納し、一本の芯を芯送り機構で少しづつ送出しながら使用し、それが消耗すると次の芯を送出して使用し、この様にして格納した芯を使い切ると新たに芯を芯タンクに補充するようになっている。
【０００３】
芯タンクへ芯を格納するための構成は、例えば特公平６―４３５９にも示されるように、大略以下の通りである。すなわち、芯タンクの後端部開口内に消しゴムを保持した消しゴムホルダーが着脱可能に嵌合され、さらにキャップ或いは消しゴムカバーが芯タンクの後端外周部に着脱可能に被着される。特公平６−４３５９に開示されたシャープペンシルはスイング式で、本体をスイングすることにより芯送り機構を動作させ芯送りを行なえるが、ノック式の場合には前述のキャップをノックすることにより芯送り機構を操作するようになっているのが普通である。しかしいずれの場合でも芯タンク後端部への消しゴム及びキャップの取付けは同様で、芯タンク後端部は二重キャップの状態になっている。
【０００４】
【特許文献１】特公平６−４３５９（公報第２頁右欄第１５行乃至１８行、図１）。
【発明の開示】
【発明が解決しようとする課題】
【０００５】
この場合、芯を芯タンクへ格納しようとする場合、先ずキャップを外し、次いで消しゴムを外す。この状態で芯タンクの後端開口が開かれ、その開口を通じて芯を芯タンク内へ挿入することとなる。この作業の間、片手でシャープペンシルの本体を持ち、他方の手で芯を持って挿入するので、消しゴム、キャップともに手から離れ、机上から転げ落ちたりしてしまう場合もある。特にキャップを紛失してしまうと、その後は消しゴムが剥き出しとなり、汚れたり、手の油が付着したりして消しゴムとして用を成さなくなってしまう場合もある。
【０００６】
本願発明は上記従来技術の問題点に鑑みなされたものであり、芯の補充に際して片手の操作で、シャープペンシルの軸の後軸側を前軸側から離着脱させることなく移動させて、前軸側の後端開口を開閉できるシャープペンシルを提供することをその課題とする。これにより、芯の挿入作業もし易くなり、キャップの紛失といった事態も防止できる。
【課題を解決するための手段】
【０００７】
上記課題を解決するために本願発明に係るシャープペンシルにおいては、軸本体を、後端部が開口した前軸部材と、前軸部材の後端部側に配置されて、前軸部材の後端部開口を閉鎖した閉鎖位置と開放した開放位置との間で移動可能な後軸部材とで構成する。このシャープペンシルはさらに、前軸部材に対して軸方向所定の範囲でスライド移動可能に取付けられ、軸本体の外部から操作可能なスライド部材を設ける。後軸部材はその前端側においてスライド部材に、前軸部材の軸芯を含む平面内で回動可能に軸支して取付けられる。また、前軸部材と後軸部材とには、スライド部材の前軸部材に対するスライド移動の第１の範囲では後軸部材をスライド部材と共に前軸部材に対して一体的にスライド移動させ、第２の範囲ではスライド部材のスライド移動に伴って後軸部材を、前軸部材に対して前軸部材の軸方向に移動させると共に、前軸部材の軸芯を含む前述の平面内で前軸部材に対して傾動させる案内機構を備えている。
【発明の効果】
【０００８】
本発明でのシャープペンシルは上記の構成を備えているので、シャープペンシルを持った方の手の指でスライド部材をスライドさせるだけで、後軸部材を前軸部材に対して軸方向に移動させ、且つ前軸部材に対して傾動させ、前軸部材の後端部の開口を開閉できるので、芯の補充作業が簡単に行える。
【発明を実施するための最良の形態】
【０００９】
以下、本願発明の具体的実施の形態を図面を参照して説明するが、本願発明の範囲が以下に説明される実施の形態に限定されるものではない。
【００１０】
図１は本発明の具体的な実施の形態に係るシャープペンシル１を示す斜視図であり、図２はそのシャープペンシル１に芯Sを挿入する状態を示す斜視図である。このシャープペンシル１の軸本体２は、前軸部材３と後軸部材５１とで構成され、使用時には後軸部材５１が閉鎖位置にあって前軸部材３の後端部開口４を閉鎖し、芯Sを補充する際には開放位置にあって前軸部材３の後端部開口４を開放する様になっている。
【００１１】
図３は後軸部材５１が開放位置にある状態で前軸部材３の一部を切欠いたシャープペンシル１の要部の縦断面図であり、図４は前軸部材３の要部縦断面図、図５はスライド部材の斜視図、図６は後軸部材の斜視図である。以下順に説明する。
【００１２】
先ず前軸部材３について説明すると、この前軸部材３はその握り部３ａを除いた部分は本実施の形態では断面が大略方形の中空部材である。前軸部材３の先端側内部には芯Sを繰出すためのチャックなど公知の芯繰出し機構が設けられているが、これは本発明と直接の関連は無いので、その説明は省略する。符号５は芯タンクでこの中に芯Sが格納される。芯タンクの外周には軸方向に対して傾斜した斜面で構成されたカム６が一体に設けられ、図において前軸部材３の上側壁部に形成された孔７に取付けられて傾動するノックボタン８がこのカム６に当接している。ノックボタン８を押すと芯タンク５が図３において左へ移動して芯Sの繰出しを行い、ノックボタン８を押す力が除かれると図示しないバネにより戻される。この構成は例えば特開２００１−２９３９９５に開示されている。
【００１３】
前軸部材３には図において下側壁部に後述するスライド部材３１のスライド移動をガイドするガイド孔９が形成されている。また、両側の側壁部の内面側の下側の位置には、図４において左右に所定の長さで伸びる有底の浅い第１のガイド溝１０ａ、１０ｂ（以下符号１０で代表させる）が形成されている。さらに第１のガイド溝１０の右上方の位置に有底の浅い第２のガイド溝１１ａ、１１ｂ（以下符号１１で代表させる）が形成されている。第２のガイド溝１１は、図示の通り水平に伸びる水平部１２と、水平部１２の右端から右上方へ斜めに延びる傾斜部１３とからなる。これら第１及び第２のガイド溝１０、１１については再度後述する。なお、後端部開口４において、図４における上側壁部が一部切欠かれ、後述する後軸部材５１の傾動を妨げないようになっている。
【００１４】
次にスライド部材３１について説明する。スライド部材３１は前述の前軸部材３の後端側に嵌め込まれる部材で、その嵌め込まれる本体部３１ａの断面形状は大略方形になっている。そして本体部３１ａの内部に貫通孔３２が軸方向に貫いて形成されており、図２の状態で芯Ｓを補充するときにはこの孔３２を通って前述の芯タンク５へ挿入される。また、この実施の形態では前方部分が軸方向所定の範囲で上側略半分が切欠き３３となっているが、これは必須ではない。後端面３８は上側に向かうに連れて前側へなだらかに傾斜しているが、これも必須の構成ではない。
【００１５】
スライド部材３１の下面側にはネック３４及びヘッド３５が形成されている。ネック３４は前軸部材３の前述したガイド孔９に嵌ってその中で図３において左右に所定の範囲で移動可能となっている。ヘッド３５は前軸部材３の下側壁部の上に載置し、これを指で動かすことによりスライド部材３１を前軸部材３の軸方向に移動させることができる。
【００１６】
前軸部材３の両側壁に対向するスライド部材３１の両側面には短い軸３６ａ，３６ｂ（以下符号３６で代表させる）が設けれれている。これについては再度後述する。また、両側面には前端部近くに小さく浅い窪み３７ａ、３７ｂ（以下符号３７で代表させる）が形成されている。この窪み３７には、図１に示す後軸部材５１が前軸部材３の後端部開口４を閉鎖している状態において、前軸部材３の両側壁部内面側に形成された小さな突起（図示せず）が嵌り、図１の状態を維持する役目を果たすようになっている。しかしこの窪み３６は前述のごとく浅いので、ヘッド３５に力を及ぼすことにより窪み３６に突起を嵌め、或いは離脱させることができる。
【００１７】
後軸部材５１は断面略方形の中空部材であり、その後端部には公知の消しゴム出し入れ機構５２が付いているが、これは本発明に直接の関連は無いので説明を省略する。符号５３は後軸部材５１の本体部５４の上側壁部の外面上に取付けられた公知のクリップである。
【００１８】
後軸部材５１の本体部５４の両側壁部から前方へ互いに対向してアーム５５ａ、５５ｂ（以下符号５５で代表させる）が伸びており、その先端部に孔５６ａ、５６ｂ（以下符号５６で代表させる）が明いており、それより後方上側に短い軸５７ａ、５７ｂ（以下符号５７で代表させる）が外向きに設けられている。
【００１９】
次に前軸部材３とスライド部材３１と後軸部材５１との組立てについて説明すると、後軸部材５１はそのアーム５５がスライド部材３１の両側面の外側に位置するように配置され、アーム５５の孔５６にスライド部材３１の軸３６が嵌っている。その状態でスライド部材３１と後軸部材５１のアーム５５は前軸部材３の後端部開口４から挿入されている。そして軸３６の先端が孔５６から突出して前軸部材３の両則壁部に形成された前述の第１のガイド溝１０に嵌っている。一方後軸部材５１のアーム５５に設けられた軸５７は前軸部材３の両側壁部に形成された第２のガイド溝１１に嵌っている。
【００２０】
シャープペンシル１が図１の状態にある時には、軸３６は第１のガイド溝１０の左端部側に位置し、軸５７は第２のガイド溝１１の水平部の左端部側に位置している。この時前述のとおりスライド部材３１の両側壁部の小さい窪み３７に前軸部材３に形成された突起が嵌ってスライド部材３１が移動しないように規制している。
【００２１】
スライド部材３１のヘッド３５に図１において右向きの力を作用させると前述の窪み３７から突起が外れ、スライド部材３１と後軸部材５１とは一緒に図１において右方向へ移動する。スライド部材３１の軸３６が第１のガイド溝１０の略中央位置まで移動すると、後軸部材５１の軸５７は第２のガイド溝１１の水平部１２の右側端部に位置する。そしてスライド部材３１をさらに右へ移動させると、スライド部材３１の軸３６ははそのまま第１のガイド溝１０に沿って右へ移動するが、後軸部材５１の軸５７は第２のガイド溝１１の傾斜部１３に沿って移動するようになるので、後軸部材５１は右へ移動しながら図２に示す方向へ傾動することとなる。
【００２２】
軸３６が第１のガイド溝１０の右端部に当たることにより、或いはスライド部材３１のネック３４の端部が前軸部材３のガイド孔９の右側端部にあたることによりそれ以上の移動は制限される。図２に示す状態で前軸部材３の後端部開口４は開放され、図示のごとく芯Ｓを挿入することができる。挿入が終わったらヘッド３５を用いてスライド部材３１を先と逆方向へ移動させれば図１の状態に戻る。
【図面の簡単な説明】
【００２３】
【図１】本発明の具体的実施の形態に係るシャープペンシルの斜視図である。
【図２】図１に示されたシャープペンシルの芯を補充する状態を示す斜視図である。
【図３】図１に示されるシャープペンシルの要部を示す図で、前軸部材の一部を切欠いて示してある。
【図４】前軸部材の要部の断面図である。
【図５】スライド部材の斜視図である。
【図６】後軸部材の斜視図である。
【符号の説明】
【００２４】
１：シャープペンシル    ２：軸本体    ３：前軸部材    ５：芯タンク
７：孔    ９：ガイド孔    １０：第１のガイド溝    １１：第２のガイド溝
１２：水平部    １３：傾斜部    ３１：スライド部材    ３２：貫通孔
３４：ネック    ３５：ヘッド    ５１：後軸部材    ５５：アーム
５６：孔    ５７：軸
【図１】
2006175792.tif 000003
【図２】
2006175792.tif 000004
【図３】
2006175792.tif 000005
【図４】
2006175792.tif 000006
【図５】
2006175792.tif 000007
【図６】
2006175792.tif 000008